(57)【要約】【課題】伝送路断などの通信障害が発生した場合に被制御所側の受話器を鳴らなくさせるとともに制御所側の受話器も担当者が手動で鳴らなくさせることができる共電式電話システムを提供する。【解決手段】信号切替装置５０は、第１のレピータ１２から入力されるＤＬ信号の極性を反転させる反転回路５１と、反転回路５１と並列に設けられたかつ第１の通信装置１３から入力されるＲＧ信号を第１のレピータ１２に入力させるか否かを切り替えるための切断スイッチ５２とを備える。第１のレピータ１２は、第１の通信装置１３からロウレベルのＲＧ信号が入力されると第１の受話器１１を鳴らせるように設定されているが、第２のレピータ２２は、第２の通信装置２３からハイレベルのＲＧ信号が入力されると第２の受話器２１を鳴らせるように設定されている。【選択図】  図１
2006013746.tif 000002
【特許請求の範囲】
【請求項１】
第１の設置場所に設置された第１の受話器（１１，１１1〜１１m）と第２の設置場所に設置された第２の受話器（２１，２１1〜２１n）とが伝送路（３０，３０1〜３０n）を介して接続されている共電式電話システム（１，２）であって、
前記第１の設置場所に設置された、かつ、前記第１の受話器がオフフック状態であることを示す第１の極性および該第１の受話器がオンフック状態であることを示す第２の極性を有するＤＬ信号の極性を反転させる反転手段（５１）と、
前記第１の設置場所に設置された、かつ、前記反転手段により極性が反転された前記ＤＬ信号の極性を示す搬送波信号を前記伝送路に出力する第１の通信手段（１３，１３1〜１３n）と、
前記第２の設置場所に設置された、かつ、前記極性が反転されたＤＬ信号の極性が前記第１の極性であることを示す前記搬送波信号を受信すると前記第２の受話器を鳴らせる手段（２２，２２1〜２２n；２３，２３1〜２３n）と、
を具備することを特徴とする、共電式電話システム。
【請求項２】
前記第２の設置場所に設置された、かつ、前記第２の受話器がオフフック状態であることを示す前記第１の極性および該第２の受話器がオンフック状態であることを示す前記第２の極性を有する他のＤＬ信号の極性を示す他の搬送波信号を前記伝送路に出力する第２の通信手段（２３，２３1〜２３n）と、
前記第１の設置場所に前記反転手段と並列に設けられた、かつ、前記他の搬送波信号に応じて前記第１の受話器を鳴らせる手段（１２，４１）を制御するＲＧ信号を該手段に入力させるか否かを切り替えるためのスイッチ手段（５２）と、
をさらに具備することを特徴とする、請求項１記載の共電式電話システム。
【請求項３】
前記スイッチ手段の前記伝送路側に設けられた、かつ、該スイッチ手段が“断線状態”である場合に前記ＲＧ信号の極性に応じて点灯または消灯する表示灯をさらに具備することを特徴とする、請求項１または２記載の共電式電話システム。
【請求項４】
第１の設置場所に設置された第１の受話器（１１）と第２の設置場所に設置された第２の受話器（２１）とが伝送路（３０）を介して接続されている共電式電話システム（１）であって、
前記第１の設置場所に設置されたかつ前記第１の受話器に接続された第１のレピータ（１２）と、
前記第１の設置場所に設置されたかつ前記第１のレピータに接続された信号切替装置（５０）と、
前記第１の設置場所に設置されたかつ前記信号切替装置に接続された第１の通信装置（１３）と、
前記第２の設置場所に設置されたかつ前記第２の受話器に接続された第２のレピータ（２２）と、
前記第２の設置場所に設置されたかつ前記第２のレピータに接続されたかつ前記第１の通信装置と前記伝送路を介して接続された第２の通信装置（２３）とを具備し、
前記信号切替装置が、
前記第１のレピータから入力されるＤＬ信号の極性を反転させる反転回路（５１）と、
該反転回路と並列に設けられたかつ前記第１の通信装置から入力されるＲＧ信号を前記第１のレピータに入力させるか否かを切り替えるための切断スイッチ（５２）と、
を備え、
前記第２のレピータが、前記第２の通信装置から第１の極性のＲＧ信号が入力されると前記第２の受話器を鳴らせるように設定されており、
前記第１のレピータが、前記第１の通信装置から前記第１の極性と逆極性の第２の極性のＲＧ信号が入力されると前記第１の受話器を鳴らせるように設定されている、
ことを特徴とする、共電式電話システム。
【請求項５】
前記切断スイッチの前記伝送路側に設けられた、かつ、該切断スイッチが“断線状態”である場合に前記ＲＧ信号の極性に応じて点灯または消灯する表示灯をさらに具備することを特徴とする、請求項４記載の共電式電話システム。
【請求項６】
第１の設置場所に設置されたｍ個の第１の受話器（１１1〜１１m）と第２の設置場所に設置されたｍ個よりも多いｎ個の第２の受話器（２１1〜２１n）とがｎ個の伝送路（３０1〜３０n）を介して接続されている共電式電話システム（２）であって、
前記第１の設置場所に設置された、かつ、ｍ個の前記第１の受話器に接続されたレピータ機能付の電話台（４１）と、
前記第１の設置場所に設置されたかつ前記電話台に接続されたｎ個の信号切替装置（５０1〜５０n）と、
前記第１の設置場所に設置されたかつｎ個の前記信号切替装置にそれぞれ接続されたｎ個の第１の通信装置（１３1〜１３n）と、
前記第２の設置場所に設置されたかつｎ個の前記第２の受話器にそれぞれ接続されたｎ個のレピータ（２２1〜２２n）と、
前記第２の設置場所に設置されたかつｎ個の前記レピータにそれぞれ接続されたかつｎ個の前記第１の通信装置とｎ個の前記伝送路を介してそれぞれ接続されたｎ個の第２の通信装置（２３1〜２３n）とを具備し、
ｎ個の前記信号切替装置がそれぞれ、
前記電話台から入力されるＤＬ信号の極性を反転させる反転回路（５１）と、
該反転回路と並列に設けられたかつ前記第１の通信装置から入力されるＲＧ信号を前記電話台に入力させるか否かを切り替えるための切断スイッチ（５２）と、
を備え、
ｎ個の前記レピータがそれぞれ、前記第２の通信装置から第１の極性のＲＧ信号が入力されると前記第２の受話器を鳴らせるように設定されており、
前記電話台が、ｎ個の前記第１の通信装置のいずれかから前記第１の極性と逆極性の第２の極性のＲＧ信号が入力されるとｎ個の前記第１の受話器を鳴らせるように設定されている、
ことを特徴とする、共電式電話システム。
【請求項７】
前記切断スイッチの前記伝送路側に設けられた、かつ、該切断スイッチが“断線状態” である場合に前記ＲＧ信号の極性に応じて点灯または消灯する表示灯をさらに具備することを特徴とする、請求項６記載の共電式電話システム。
【発明の詳細な説明】
【技術分野】
【０００１】
本発明は、共電式電話システムに関し、特に、たとえば電力会社の制御所と被制御所との間に設置されている共電式電話システム（電力保安電話システム）において伝送路の停止時に被制御所側の受話器の着信音を鳴らなくするのに好適な共電式電話システムに関する。
【背景技術】
【０００２】
電力会社の制御所の受話器と被制御所の受話器を１：１で設置した場合の共電式電話システム１００の着信音発生動作について、制御所を発信側とし被制御所を着信側としたときを例として、図３を参照して説明する。
（無通話時の動作）
発信側である制御所（Ａ局）の第１の受話器１１１と着信側である被制御所（Ｂ局）の第２の受話器１２１との間で通話が行われていない場合（無通話時）には、制御所の第１の受話器１１１はオフフック状態であるため、制御所の第１のレピータ（ＲＥＰ）１１２は、制御所の第１の通信装置１１３（被制御所向通信装置）に出力するＤＬ信号をハイレベルとする。第１の通信装置１１３は、ハイレベルのＤＬ信号が第１のレピータ１１２から入力されると、ＤＬ信号がハイレベルであることを示す搬送波信号（周波数（ｆ）信号）を伝送路１３０に出力する。
被制御所の第２の通信装置１２３（制御所向通信装置）は、搬送波信号（ｆ信号）が伝送路１３０を介して送信されてくると、無通話時であることを示すハイレベルのＲＧ信号を被制御所の第２のレピータ（ＲＥＰ）１２２に出力する。第２のレピータ１２２は、ハイレベルのＲＧ信号が第２の通信装置１２３から入力されると、被制御所の第２の受話器１２１の電話機着信音回路を停止するように制御する。
【０００３】
（制御所からの発信時の動作）
制御所から被制御所に発信するために制御所の第１の受話器１１１が上げられてオンフック状態にされると、第１のレピータ１１２はＤＬ信号のレベルをハイレベルからロウレベルに変化させる。第１の通信装置１１３は、ロウレベルのＤＬ信号が第１のレピータ１１２から入力されると、搬送波信号（ｆ信号）の出力を中止する。
被制御所の第２の通信装置１２３は、搬送波信号（ｆ信号）が伝送路１３０を介して送信されてこなくなると、着信があったことを示すロウレベルのＲＧ信号を第２のレピータ１２２に出力する。第２のレピータ１２２は、ロウレベルのＲＧ信号が第２の通信装置１２３から入力されると、第２の受話器１２１の電話機着信音回路を起動（鳴動）するように制御する。これにより、第２の受話器１２１から着信音が出力される。
【０００４】
（伝送路断時の動作）
伝送路１３０が事故などにより断路されると、被制御所の第２の通信装置１２３には搬送波信号（ｆ信号）が入力されてこなくなる。その結果、被制御所では上述した「制御所からの発信時の動作」と同じ動作が行われ、第２の受話器１２１の電話機着信音回路が鳴動する。これにより、第２の受話器１２１を上げた担当者は、第２の受話器１２１から相手の声が出力されないため、伝送路１３０が断路されたことを知ることができる。
【０００５】
以上説明した共電式電話システム１００の着信音発生動作についてまとめた結果を表１に示す。
【表１】
2006013746.tif 000003
【０００６】
なお、共電式電話に関する技術として、固定加入者ユニット（ＦＳＵ）にとって最適な無線基地局を可能な限り捕捉し続け、その無線基地局と通信不可能な場合は他の適当な無線基地局を定常的に捕捉し続けることのできる、通信システムを用いたＦＳＵ割当方法、通信システム、基地局制御装置および無線固定加入者ユニットが、以下の特許文献１に提案されている。
【特許文献１】特開２００１−１６０９８９号公報
【発明の開示】
【発明が解決しようとする課題】
【０００７】
しかしながら、表１に示した着信音発生動作を行う共電式電話システム１００を実際に電力会社の制御所と被制御所との間に設置される電力保安電話システムに用いた場合には、以下に示すような問題が生じる。
一般に、電力会社の制御所と被制御所との間に設置されている共電式電話システム２００（電力保安電話システム）では、図４に示すように、制御所は多数の被制御所（第１乃至第ｎの被制御所）を制御対象としているため、制御所に設置する受話器を被制御所の受話器１２１1〜１２１nと１対１で設置すると、膨大な数（ｎ個）の受話器を制御所に設置しなければならなくなる。そこで、制御所の受話器１１１1〜１１１mと制御所の通信装置１１３1〜１１３nとの間にレピータの代わりにレピータ機能付の電話台１４１を設置して、電話台１４１により回線を集約させることにより、制御所に設置する受話器１１１1〜１１１mの数（ｍ個、ｍ＜ｎ）を適切な数となるようにしている。
その結果、図４に×印で示すように図示最上の制御所の通信装置１１３1と第１の被制御所の通信装置１２３1とを接続する伝送路１３０1が事故などにより断路されると、第１の被制御所の受話器１２１1は、第１の被制御所の担当者が受話器１２１1を上げるまで鳴り続けるため、特に夜間においては近隣の住民に迷惑を及ぼしたり、通報により担当者が第１の被制御所に行こうとしても到着するのに数時間かかり迅速な対応が取れなかったりするという問題があった。
また、制御所の受話器１１１1〜１１１mも被制御所の受話器１２１1〜１２１nと同様に動作するため、伝送路１３０1が断路されると制御所の受話器１１１1〜１１１mもすべて鳴る。そのため、制御所の担当者が保留操作を行って受話器１１１1〜１１１mが鳴らないようにしているが、この保留は一定時間経過後に自動的に解除されてしまうため、何度も保留操作をする必要が生じ、当直業務の支障となっていた。
【０００８】
このような問題を解決するために、表２に示すように、図３に示した発信側である制御所（Ａ局）の第１の通信装置１１３の設定を、第１のレピータ１１２からのＤＬ信号がハイレベルのときに搬送波信号（ｆ信号）を出力しないように変更するとともに、着信側である被制御所（Ｂ局）の第２のレピータ１２２の設定を、第２の通信装置１２３からのＲＧ信号がロウレベルのときに第２の受話器１２１の電話機着信音回路を停止するように変更する方法が考えられる。この方法によれば、伝送路断となっても、第２の通信装置１２３からのＲＧ信号がロウレベルになるため、第２の受話器１２１が鳴らなくするようにできる（表２の最下段参照）。
【表２】
2006013746.tif 000004
【０００９】
しかしながら、このような設定変更を行うことは、以下に示すような問題がある。
（１）通信装置およびレピータとして複数のメーカーのものまた複数の機種のものを導入しているため、メーカーごとまた機種ごとに設定方法を把握したのちに設定の変更を行う必要が生じ、作業に時間がかかる。
（２）設定変更に際し、隣接運用回線の停止が必要となる場合がある。
（３）通信装置は、以下に示す理由によりデフォルト設定で運用保守を行いたいという要望が強い。
（ａ）設定をイレギュラーにすると、担当者が変わるたびに周知徹底する必要が生じる。
（ｂ）故障時における復旧時間の短縮に支障をきたす恐れがある。
（ｃ）回線廃止時に、デフォルト設定への戻し忘れにより、異回線収容時に疎通原因が分からなくなる事態が生じる。
（４）図４に示した制御所の電話台１４１のレピータ機能の設定および第１乃至第ｎの被制御所の通信装置１２３1〜１２３nの設定も同様にして変更すると、伝送路断となったときに、第１乃至第ｎの被制御所の受話器１２１1〜１２１nばかりでなく、制御所の受話器１１１1〜１１１mも鳴らなくなるため、伝送路断などの通信障害の発生を早期に発見することができなくなる。
【００１０】
本発明の目的は、伝送路断などの通信障害が発生した場合に被制御所側の受話器を鳴らなくさせるとともに制御所側の受話器も担当者が手動で鳴らなくさせることができる共電式電話システムを提供することにある。
【課題を解決するための手段】
【００１１】
本発明の共電式電話システムは、第１の設置場所に設置された第１の受話器（１１，１１1〜１１m）と第２の設置場所に設置された第２の受話器（２１，２１1〜２１n）とが伝送路（３０，３０1〜３０n）を介して接続されている共電式電話システム（１，２）であって、前記第１の設置場所に設置された、かつ、前記第１の受話器がオフフック状態であることを示す第１の極性および該第１の受話器がオンフック状態であることを示す第２の極性を有するＤＬ信号の極性を反転させる反転手段（５１）と、前記第１の設置場所に設置された、かつ、前記反転手段により極性が反転された前記ＤＬ信号の極性を示す搬送波信号を前記伝送路に出力する第１の通信手段（１３，１３1〜１３n）と、前記第２の設置場所に設置された、かつ、前記極性が反転されたＤＬ信号の極性が前記第１の極性であることを示す前記搬送波信号を受信すると前記第２の受話器を鳴らせる手段（２２，２２1〜２２n；２３，２３1〜２３n）とを具備することを特徴とする。
ここで、前記第２の設置場所に設置された、かつ、前記第２の受話器がオフフック状態であることを示す前記第１の極性および該第２の受話器がオンフック状態であることを示す前記第２の極性を有する他のＤＬ信号の極性を示す他の搬送波信号を前記伝送路に出力する第２の通信手段（２３，２３1〜２３n）と、前記第１の設置場所に前記反転手段と並列に設けられた、かつ、前記他の搬送波信号に応じて前記第１の受話器を鳴らせる手段（１２，４１）を制御するＲＧ信号を該手段に入力させるか否かを切り替えるためのスイッチ手段（５２）とをさらに具備してもよい。
前記スイッチ手段の前記伝送路側に設けられた、かつ、該スイッチ手段が“断線状態”である場合に前記ＲＧ信号の極性に応じて点灯または消灯する表示灯をさらに具備してもよい。
【００１２】
また、本発明の共電式電話システムは、第１の設置場所に設置された第１の受話器（１１）と第２の設置場所に設置された第２の受話器（２１）とが伝送路（３０）を介して接続されている共電式電話システム（１）であって、前記第１の設置場所に設置されたかつ前記第１の受話器に接続された第１のレピータ（１２）と、前記第１の設置場所に設置されたかつ前記第１のレピータに接続された信号切替装置（５０）と、前記第１の設置場所に設置されたかつ前記信号切替装置に接続された第１の通信装置（１３）と、前記第２の設置場所に設置されたかつ前記第２の受話器に接続された第２のレピータ（２２）と、前記第２の設置場所に設置されたかつ前記第２のレピータに接続されたかつ前記第１の通信装置と前記伝送路を介して接続された第２の通信装置（２３）とを具備し、前記信号切替装置が、前記第１のレピータから入力されるＤＬ信号の極性を反転させる反転回路（５１）と、該反転回路と並列に設けられたかつ前記第１の通信装置から入力されるＲＧ信号を前記第１のレピータに入力させるか否かを切り替えるための切断スイッチ（５２）とを備え、前記第２のレピータが、前記第２の通信装置から第１の極性のＲＧ信号が入力されると前記第２の受話器を鳴らせるように設定されており、前記第１のレピータが、前記第１の通信装置から前記第１の極性と逆極性の第２の極性のＲＧ信号が入力されると前記第１の受話器を鳴らせるように設定されていることを特徴とする。
ここで、前記切断スイッチの前記伝送路側に設けられた、かつ、該切断スイッチが“断線状態”である場合に前記ＲＧ信号の極性に応じて点灯または消灯する表示灯をさらに具備してもよい。
【００１３】
さらに、本発明の共電式電話システムは、第１の設置場所に設置されたｍ個の第１の受話器（１１1〜１１m）と第２の設置場所に設置されたｍ個よりも多いｎ個の第２の受話器（２１1〜２１n）とがｎ個の伝送路（３０1〜３０n）を介して接続されている共電式電話システム（２）であって、前記第１の設置場所に設置された、かつ、ｍ個の前記第１の受話器に接続されたレピータ機能付の電話台（４１）と、前記第１の設置場所に設置されたかつ前記電話台に接続されたｎ個の信号切替装置（５０1〜５０n）と、前記第１の設置場所に設置されたかつｎ個の前記信号切替装置にそれぞれ接続されたｎ個の第１の通信装置（１３1〜１３n）と、前記第２の設置場所に設置されたかつｎ個の前記第２の受話器にそれぞれ接続されたｎ個のレピータ（２２1〜２２n）と、前記第２の設置場所に設置されたかつｎ個の前記レピータにそれぞれ接続されたかつｎ個の前記第１の通信装置とｎ個の前記伝送路を介してそれぞれ接続されたｎ個の第２の通信装置（２３1〜２３n）とを具備し、ｎ個の前記信号切替装置がそれぞれ、前記電話台から入力されるＤＬ信号の極性を反転させる反転回路（５１）と、該反転回路と並列に設けられたかつ前記第１の通信装置から入力されるＲＧ信号を前記電話台に入力させるか否かを切り替えるための切断スイッチ（５２）と備え、ｎ個の前記レピータがそれぞれ、前記第２の通信装置から第１の極性のＲＧ信号が入力されると前記第２の受話器を鳴らせるように設定されており、前記電話台が、ｎ個の前記第１の通信装置のいずれかから前記第１の極性と逆極性の第２の極性のＲＧ信号が入力されるとｎ個の前記第１の受話器を鳴らせるように設定されていることを特徴とする。
ここで、前記切断スイッチの前記伝送路側に設けられた、かつ、該切断スイッチが“断線状態”である場合に前記ＲＧ信号の極性に応じて点灯または消灯する表示灯をさらに具備してもよい。
【発明の効果】
【００１４】
本発明の共電式電話システムは、次の効果を有する。
（１）伝送路断が生じても、被制御所の受話器を鳴らなくすることができるため、特に夜間において近隣の住民に迷惑を及ぼすことがない。また、伝送路が事故などにより断路されると、制御所の受話器は鳴らすことができるため、伝送路断などの通信障害の発生を早期に発見することができる。
（２）伝送路断などの通信障害の発生を確認したのちには、信号切替装置の切断スイッチを手動で“断線状態”にすることにより制御所の受話器を鳴らなくさせることができるため、従来問題となっていた何度も保留操作をする必要をなくすことができる。
（３）信号切替装置の表示灯により切断スイッチの状態および制御所におけるＲＧ信号のレベル（極性）を目視で監視できるため、保守性の向上を図ることができる。
（４）被制御所に設置されるレピータの設定を変更するだけでよいため、設定変更に伴う従来の問題を解決することができる。
【発明を実施するための最良の形態】
【００１５】
伝送路断などの通信障害が発生した場合に被制御所側の受話器を鳴らなくさせるとともに制御所側の受話器も担当者が手動で鳴らなくさせることができるという目的を、ＤＬ信号の極性を反転させる反転手段を第１の設置場所に設置し、反転手段により極性が反転されたＤＬ信号の極性が第１の極性であることを示す搬送波信号を受信すると第２の受話器を鳴らせる手段を第２の設置場所に設置するとともに、ＲＧ信号を第１の受話器を鳴らせる手段に入力させるか否かを切り替えるためのスイッチ手段を反転手段と並列に設けることにより実現した。
【実施例１】
【００１６】
以下、本発明の共電式電話システムの実施例について図面を用いて説明する。
本発明の第１の実施例による共電式電話システム１は、たとえば電力会社の制御所の受話器と被制御所の受話器を１：１で設置した場合のものであり、図１に示すように、制御所（Ａ局）に設置された第１の受話器１１と、制御所に設置されたかつ第１の受話器１１に接続された第１のレピータ１２と、制御所に設置されたかつ第１のレピータ１２に接続された信号切替装置５０と、制御所に設置されたかつ信号切替装置５０に接続された第１の通信装置１３と、被制御所（Ｂ局）に設置された第２の受話器２１と、被制御所に設置されたかつ第２の受話器２１に接続された第２のレピータ１２と、被制御所に設置されたかつ第２のレピータ２２に接続された第２の通信装置２３とを備える。
ここで、信号切替装置５０は、第１のレピータ１２から入力されるＤＬ信号の極性を反転させる反転回路５１と、反転回路５１と並列に設けられたかつ第１の通信装置１３から入力されるＲＧ信号を第１のレピータ１２に入力させるか否かを切り替えるための切断スイッチ５２と、第１の通信装置１３と切断スイッチ５２との間に設けられた表示灯５３とを備える。なお、表示灯５３は、緑色の発光ダイオードと黄色の発光ダイオードとを備え、切断スイッチ５２が“接続状態”（第１のレピータ１２と第１の通信装置１３とを接続する状態）である場合には緑色の発光ダイオードおよび黄色の発光ダイオードは点灯せず、切断スイッチ５２が“断線状態”（第１のレピータ１２と第１の通信装置１３とを切り離す状態）である場合には、第１の通信装置１３から出力されるＲＧ信号がロウレベルのときには緑色の発光ダイオードが点灯し、このＲＧ信号がハイレベルのときには黄色の発光ダイオードが点灯する。
また、制御所の第１のレピータ１２は、第１の通信装置１３からロウレベルのＲＧ信号が入力されると第１の受話器１１の電話機着信音回路を起動（鳴動）させるように設定されているが、被制御所の第２のレピータ２２は、第２の通信装置２３からハイレベルのＲＧ信号が入力されると第２の受話器２１の電話機着信音回路を起動（鳴動）させるように設定されている。
制御所の第１の通信装置１３と被制御所の第２の通信装置２３とは伝送路３０を介して接続されている。
【００１７】
次に、本実施例による共電式電話システム１の着信音発生動作について詳しく説明する。
（無通話時の動作）
制御所（Ａ局）の第１の受話器１１と被制御所（Ｂ局）の第２の受話器２１との間で通話が行われていない場合（無通話時）には、制御所の第１の受話器１１はオフフック状態であるため、第１のレピータ１２は、第１の通信装置１３に出力するＤＬ信号をハイ（Ｈ）レベルとするが、このハイレベルのＤＬ信号は、信号切替装置５０の反転回路５１により極性が反転されて（図２の実線の矢印参照）、ロウ（Ｌ）レベルのＤＬ信号として第１の通信装置１３に入力される。第１の通信装置１３は、ロウレベルのＤＬ信号が第１のレピータ１２から入力されると、搬送波信号（ｆ信号）を伝送路３０に出力しない。
被制御所の第２の通信装置２３は、搬送波信号（ｆ信号）が伝送路３０を介して送信されてこないため、ロウレベルのＲＧ信号を第２のレピータ２２に出力する。第２のレピータ１２２は、ハイレベルのＲＧ信号が入力されると第２の受話器２１の電話機着信音回路を起動（鳴動）させるように設定されているため、ロウレベルのＲＧ信号が第２の通信装置２３から入力されると、第２の受話器２１の電話機着信音回路を停止するように制御する。
【００１８】
また、無通話時には、被制御所の第２の受話器２１もオフフック状態であるため、被制御所の第２のレピータ２２は、第２の通信装置１３に出力するＤＬ信号をハイレベルとする。第２の通信装置２３は、ハイレベルのＤＬ信号が第２のレピータ２２から入力されると、搬送波信号（ｆ信号）を伝送路３０に出力する。
制御所の第１の通信装置１３は、搬送波信号（ｆ信号）が伝送路３０を介して送信されてくると、ハイレベルのＲＧ信号を第１のレピータ１２に出力する。このとき、切断スイッチ５２は通常は“接続状態”にされているため、ハイレベルのＲＧ信号は切断スイッチ５２を通って第１のレピータ１２に入力される（図２の破線の矢印参照）。第１のレピータ１２は、ハイレベルのＲＧ信号が入力されると第１の受話器１１の電話機着信音回路を停止するように設定されている（すなわち、第２のレピータ２２とは逆に設定されている）ため、ハイレベルのＲＧ信号が第１の通信装置１３から入力されると、第１の受話器１１の電話機着信音回路を停止するように制御する。
以上により、無通話時には、制御所の第１の受話器１１および被制御所の第２の受話器２１はともに、着信音を発生しない。
【００１９】
（制御所からの発信時の動作）
制御所から被制御所に発信するために制御所の第１の受話器１１が上げられてオンフック状態にされると、第１のレピータ１２はＤＬ信号のレベルをハイレベルからロウレベルに変化させるが、このロウレベルのＤＬ信号は、信号切替装置５０の反転回路５１により極性が反転されて、ハイレベルのＤＬ信号として第１の通信装置１３に入力される。第１の通信装置１３は、ハイレベルのＤＬ信号が入力されると、搬送波信号（ｆ信号）を伝送路３０に出力する。
被制御所の第２の通信装置２３は、搬送波信号（ｆ信号）が伝送路３０を介して送信されてくると、ハイレベルのＲＧ信号を第２のレピータ２２に出力する。第２のレピータ２２は、ハイレベルのＲＧ信号が入力されると第２の受話器２１の電話機着信音回路を起動（鳴動）させるように設定されているため、第２の受話器２１の電話機着信音回路を起動（鳴動）するように制御する。これにより、第２の受話器２１から着信音が出力される。
【００２０】
（被制御所からの発信時の動作）
被制御所から制御所に発信するために被制御所の第２の受話器２１が上げられてオンフック状態にされると、第２のレピータ２２はＤＬ信号のレベルをハイレベルからロウレベルに変化させる。第２の通信装置２３は、ロウレベルのＤＬ信号が第２のレピータ２２から入力されると、搬送波信号（ｆ信号）を伝送路３０に出力しない。
制御所の第１の通信装置１３は、搬送波信号（ｆ信号）が伝送路３０を介して送信されてこないため、ロウレベルのＲＧ信号を第１のレピータ１２に出力する。このとき、切断スイッチ５２は通常は“接続状態”にされているため、ロウレベルのＲＧ信号は切断スイッチ５２を通って第１のレピータ１２に入力される。第１のレピータ１２は、ロウレベルのＲＧ信号が入力されると第１の受話器１１の電話機着信音回路を起動（鳴動）させるように設定されている（すなわち、第２のレピータ２２とは逆に設定されている）ため、第１の受話器１１の電話機着信音回路を起動（鳴動）するように制御する。これにより、第１の受話器１１から着信音が出力される。
【００２１】
（伝送路断時の動作）
伝送路３０が事故などにより断路されると、被制御所の第２の通信装置２３には搬送波信号（ｆ信号）が送信されてこない。その結果、被制御所では上述した「無通話時の動作」と同じ動作が行われ、第２の受話器２１は鳴らないように制御される。これにより、伝送路断が生じても、担当者が第２の受話器２１を上げるまで第２の受話器２１が鳴り続けることが防止できるため、特に夜間において近隣の住民に迷惑を及ぼしたり、通報により担当者が被制御所に行こうとしても到着するのに数時間かかり迅速な対応が取れなかったりするという従来の問題を解決することができる。
【００２２】
また、伝送路３０が事故などにより断路されると、制御所の第１の通信装置１３にも搬送波信号（ｆ信号）が送信されてこない。しかし、制御所では上述した「被制御所からの発信時の動作」と同じ動作が行われるため、第１の受話器１１は鳴るように制御される。これにより、第１の受話器１１を上げた制御所の担当者は、第１の受話器１１から相手の声が出力されないため、伝送路３０が断路されたことを知ることができる。その結果、伝送路断などの通信障害の発生を早期に発見することができる。
また、制御所の担当者は、伝送路３０が断路されたことを確認したのちには、信号切替装置５０の切断スイッチ５２を手動で“断線状態”にすることにより、第１のレピータ１２にロウレベルのＲＧ信号が入力されないようにする。これにより、第１のレピータ１２は、第１の受話器１１の電話機着信音回路を停止するように制御するため、第１の受話器１１が鳴るのを止めさせることができる。その結果、従来問題となっていた何度も保留操作をする必要をなくすことができる。
【００２３】
なお、信号切替装置５０の表示灯５３では、切断スイッチ５２が“接続状態”である場合には緑色の発光ダイオードおよび黄色の発光ダイオードが点灯せず、切断スイッチ５２が“断線状態”である場合には、第１の通信装置１３から出力されるＲＧ信号がロウレベルのときには緑色の発光ダイオードが点灯し、このＲＧ信号がハイレベルのときには黄色の発光ダイオードが点灯するため、切断スイッチ５２の状態およびこのＲＧ信号のレベル（極性）を目視で監視でき、保守性の向上を図ることができる。
【００２４】
以上説明した共電式電話システム１の着信音発生動作についてまとめた結果を表３に示す。
【表３】
2006013746.tif 000005
【実施例２】
【００２５】
次に、本発明の第２の実施例による共電式電話システムについて、図２を参照して説明する。
本実施例による共電式電話システム２は、表３に示した着信音発生動作を行う上述した第１の実施例による共電式電話システム１を実際に電力会社の制御所と被制御所との間に設置される電力保安電話システムに用いた場合の一例であり、制御所の通信装置１３1〜１３n（第１の通信装置）と電話台４１との間に信号切替装置５０1〜５０nをそれぞれ設けている点と、第１乃至第ｎの被制御所のレピータ２２1〜２２nが通信装置２３1〜２３n（第２の通信装置）からハイレベルのＲＧ信号が入力されると受話器２１1〜２１n（第２の受話器）の電話機着信音回路を起動（鳴動）させるように設定されている点とで、図４に示した従来の共電式電話システム２００と異なる。
【００２６】
本実施例による共電式電話システム２の着信音発生動作は、上述した第１の実施例による共電式電話システム１と同様であるため、たとえば図２に×印で示したように制御所の図示最上段の通信装置１３1と被制御所の図示最上段の通信装置２３2とを接続する伝送路３０1が事故などにより断路された場合には、制御所の受話器１１1〜１１mを鳴らせて第１の被制御所の受話器２１1を鳴らさないようにすることができるとともに、信号切替装置５０1の切断スイッチを制御所の担当者が手動で“断線状態”にすることにより制御所の受話器１１1〜１１mの鳴るのを止めさせることができる。また、信号切替装置５０1〜５０nの表示灯により信号切替装置５０1〜５０nの切断スイッチの状態および通信装置１３1〜１３nから出力されるＲＧ信号の極性（レベル）を目視で監視することができる。
【産業上の利用可能性】
【００２７】
本発明の共電式電話システムは、たとえば電力会社の制御所と被制御所との間に設置されている電力保安電話システムに使用することができる。
【図面の簡単な説明】
【００２８】
【図１】本発明の第１の実施例による共電式電話システムの構成を示す機能ブロック図である。（実施例１）
【図２】本発明の第２の実施例による共電式電話システムの構成を示す機能ブロック図である。（実施例２）
【図３】従来の共電式電話システムの構成を示す機能ブロック図である。
【図４】従来の共電式電話システムの他の例の構成を示す機能ブロック図である。
【符号の説明】
【００２９】
１，２  共電式電話システム
１１，１１1〜１１m，２１1〜２１n，２１  受話器
１２，２２，２２1〜２２n  レピータ
１３，１３1〜１３n，２３，２３1〜２３n  通信装置
３０，３０1〜３０n  伝送路
４１  電話台
５０，５０1〜５０n  信号切替装置
５１  反転回路
５２  切断スイッチ
５３  表示灯
【図１】
2006013746.tif 000006
【図２】
2006013746.tif 000007
【図３】
2006013746.tif 000008
【図４】
2006013746.tif 000009